(57)【要約】【課題】部品点数が少なく、施工性が良好で、デザイン上の制約も少ないポーチ柱を提供する。【解決手段】ポーチ柱１は、一般的な住宅の玄関ポーチにおいて、ポーチ屋根庇を支持するために立設されるものである。ポーチ柱１は、四角柱形状の木材で形成された支柱３と、凹面部５ｂ，６ｂ同士を対向させた状態で支柱３の外周面全体を被覆するように装着された断面コ字形をした２つのカバー材５，６とを備え、２つのカバー材５，６の側縁部５ａ，６ａをそれぞれ接着剤４で互いに貼着している。２つのカバー材５，６の凹面部５ｂ，６ｂは支柱３の外周面に隙間無く密着した状態に固定されている。カバー材５，６は窯業材料で形成され、接着剤４はシーリング剤を用いている。【選択図】  図２
2005344478.tif 000002
【特許請求の範囲】
【請求項１】
四角柱形状の支柱と、凹面同士を対向させた状態で前記支柱の外周面全体を被覆するように装着された断面コ字形の２つのカバー材とを備え、前記カバー材同士を接着手段で貼着したことを特徴とするポーチ柱。
【請求項２】
前記支柱として、木材、角パイプ材、コンクリート材、合成樹脂材のいずれかを用いた請求項１記載のポーチ柱。
【請求項３】
前記カバー材として、窯業材料を用いた請求項１または２記載のポーチ柱。
【発明の詳細な説明】
【技術分野】
【０００１】
本発明は、一般住宅の玄関ポーチなどに設置されるポーチ柱に関する。
【背景技術】
【０００２】
一般住宅の玄関ポーチなどにおいては、ポーチ屋根庇を支持するためにポーチ柱が立設されている。ポーチ柱は、従来、様々な構造、デザイン、材質のものが開発、施工されているが、本願発明に関連するものとして、特許文献１，２に記載されているものがある。
【０００３】
特許文献１に記載されたポーチ柱は、金属材よりなる支柱と、この支柱の鉛直方向に所定間隔をもって支柱に水平に固定された支持部材と、支柱に対して鉛直方向に立設された結合部材と、支持部材に固定されて支柱を取り囲むように設けられた化粧板とで構成されている。
【０００４】
特許文献２に記載されたポーチ柱は、角形の柱の外面に、断面形状がコ字形の主柱カバーを互いに開口側を対向させて被せ、この主柱カバーの両側の対向する突き合わせ端部間に、補助カバーを取り付けることによって形成されている。
【０００５】
【特許文献１】特開平９−１１１８６０号公報（第２−１１頁）
【特許文献２】特開平１０−１４０６５０号公報（第２−４頁）
【発明の開示】
【発明が解決しようとする課題】
【０００６】
特許文献１，２に記載されたポーチ柱は、いずれも構成部材の個数が多いので、施工現場への資材搬入に手間がかかり、組み立ても面倒であり、施工性が悪い。また、実際に施工する際には、ある程度熟練した作業者が必要である。
【０００７】
さらに、特許文献２に記載されたポーチ柱において、補助カバーが外側に突出した形状である場合、外観上の違和感をなくすには、予め、この補助カバーと同様の形状の突出部を主柱カバーの外側に設ける必要があるため、デザイン上の制約が生じる。
【０００８】
本発明が解決しようとする課題は、部品点数が少なく、施工性が良好で、デザイン上の制約も少ない玄関ポーチ柱を提供することにある。
【課題を解決するための手段】
【０００９】
本発明のポーチ柱は、四角柱形状の支柱と、凹面同士を対向させた状態で前記支柱の外周面全体を被覆するように装着された断面コ字形の２つのカバー材とを備え、前記カバー材同士を接着手段で貼着したことを特徴とする。このような構成とすれば、四角柱形状をした支柱の外周に断面コ字形の２つのカバー材を対向状態に装着して接着手段で貼着するだけでポーチ柱を形成することができるので、高度の熟練作業者は不要であり、施工性も良好である。
【００１０】
また、四角柱形状の支柱と、断面コ字形の２つのカバー材と、接着手段とで構成されているため、部品点数も少なくてすみ、施工現場への資材搬入作業も容易である。さらに、断面コ字形のカバー材の露出面については、構造的な制約はないので、デザイン上の制約も少ない。
【００１１】
前記支柱として、木材、角パイプ材、コンクリート材、合成樹脂材のいずれかを用いることにより、建築物の構造材として一般的に使用される支柱の材質に応じてポーチ柱を形成することが可能となるため、汎用性も良好となる。
【００１２】
前記カバー材として、窯業材料を用いることが望ましい。窯業材料は、窯を用いて、原料である粘土その他の非金属無機材料に高温加工を施して形成された材料であるため、前記カバー材として、窯業材料を用いれば、通常の気象条件の下での変質、劣化は極めて小さくなり、耐候性および耐久性が向上する。
【発明の効果】
【００１３】
本発明により、以下に示す効果を奏する。
【００１４】
（１）四角柱形状の支柱と、凹面同士を対向させた状態で前記支柱の外周面全体を被覆するように装着された断面コ字形の２つのカバー材とを備え、前記カバー材同士を接着手段で貼着したことにより、部品点数が少なく、施工性が良好で、デザイン上の制約も少ないポーチ柱を得ることができる。
【００１５】
（２）前記支柱として、木材、角パイプ材、コンクリート材、合成樹脂材のいずれかを用いることにより、建築物の構造材として一般的に使用される支柱の材質に応じたポーチ柱を形成することが可能となるため、汎用性も良好となる。
【００１６】
（３）前記カバー材として、窯業材料を用いることにより、耐候性および耐久性が向上する。
【発明を実施するための最良の形態】
【００１７】
以下、図面に基づいて、本発明の実施の形態であるポーチ柱について説明する。図１は本発明の実施の形態であるポーチ柱の施工状態を示す斜視図であり、図２は図１におけるＡ−Ａ線断面図であり、図３は図１に示すポーチ柱の組み立て手順を示す水平断面図である。
【００１８】
図１に示すように、本実施形態のポーチ柱１は、一般的な住宅Ｈの玄関ポーチＰにおいて、ポーチ屋根庇２を支持するために立設されている。ポーチ柱１の外観は、カバー材５，６の材質、デザインによって決めることができ、住宅Ｈの外観デザインに応じた外観にすることができる。
【００１９】
図２に示すように、ポーチ柱１は、四角柱形状の木材で形成された支柱３と、凹面５ｂ，６ｂ同士を対向させた状態で支柱３の外周面全体を被覆するように装着された断面コ字形の２つのカバー材５，６とを備え、２つのカバー材５，６の側縁部５ａ，６ａを互いに接着剤４で貼着している。２つのカバー材５，６の凹面部５ｂ，６ｂは支柱３の外周面に隙間無く密着した状態となっている。カバー材５，６は窯業材料で形成され、接着剤４はシーリング剤を用いている。なお、接着剤４は、合成樹脂系、セメント系のものを使うこともできる。
【００２０】
ポーチ柱１を組み立てる場合、図３に示すように、支柱３の外周に、断面コ字形をした２つのカバー材５，６をそれぞれの凹面部５ｂ，６ｂが対向する状態に配置し、それぞれのカバー材５，６を矢線方向に移動させて支柱３の外周に隙間無く装着した後、カバー材５，６の側縁部５ａ，６ａ同士の隙間に接着剤４（図２参照）を充填して互いに貼着させる。したがって、ポーチ柱１の組み立て作業は容易であり、高度の熟練作業者も不要であり、施工性は良好である。
【００２１】
また、ポーチ柱１は、四角柱形状の支柱３と、断面コ字形をした２つのカバー材５，６と、接着剤４とで構成されたシンプルな構造であるため、部品点数は少なくてすみ、施工現場への資材搬入作業も容易である。さらに、断面コ字形で樋形状をしたカバー材５，６の露出面５ｃ，６ｃについては構造的な制約がないので、デザイン上の制約も少なく、住宅Ｈとのバランスのとれた外観とすることができる。従って、例えば、露出面５ｃ，６ｃを蒲鉾形状とすれば、これらを四角柱形状の支柱３の外周に装着することによってポーチ柱１全体を円柱形状とすることも可能である。
【００２２】
本実施形態のポーチ柱１では、支柱３として木材を用いているが、これに限定するものではないので、角パイプ材、コンクリート材、合成樹脂材のいずれかで形成した支柱を用いることもできる。したがって、住宅Ｈの構造材として使用される資材に応じて定まる支柱３の材質に左右されることなくポーチ柱１を形成することができる。
【００２３】
また、窯業材料は、窯を用いて、原料である粘土その他の非金属無機材料に高温加工を施して形成された材料であるため、カバー材５，６として、窯業材料を用いたことにより、通常の気象条件の下での変質、劣化は極めて小さくなり、優れた耐候性および耐久性が得られる。さらに、建材として広く使用されている窯業材料は、その色彩や外観性状について種類が豊富であるため、デザイン上の選択幅が広く、住宅Ｈの外観や施工主の好みなどに適したデザインを採用することができる。
【産業上の利用可能性】
【００２４】
本発明のポーチ柱は、一般住宅の玄関ポーチなどに設置されるポーチ柱のほか、各種建築物のポーチ柱として広く利用することができる。
【図面の簡単な説明】
【００２５】
【図１】本発明の実施の形態であるポーチ柱の施工状態を示す斜視図である。
【図２】図１におけるＡ−Ａ線断面図である。
【図３】図１に示すポーチ柱の組み立て手順を示す水平断面図である。
【符号の説明】
【００２６】
１  ポーチ柱
２  ポーチ屋根庇
３  支柱
４  接着剤
５，６  カバー材
５ａ，６ａ  側縁部
５ｂ，６ｂ  凹面部
５ｃ，６ｃ  露出面
Ｈ  住宅
Ｐ  ポーチ
【図１】
2005344478.tif 000003
【図２】
2005344478.tif 000004
【図３】
2005344478.tif 000005